(57)【要約】【課題】  セルフタイマを用いて記念撮影を行う際に用い、設置可能な場所を拡大し、装着および設置の手間を軽減することにより操作性を向上させ、かつ携行性を向上させるカメラスタンドを提供することを課題とする。【解決手段】  可変形状クッションにて構成されるスタンド部と、カメラに固定するネジ式台座部を備え、前記ネジ式台座部は重心調整機構を備え、小型軽量でかつ携行に便利な記念撮影用のカメラスタンドを供給する。【効果】  撮影者を被写体とし、セルフタイマを併用した記念撮影を容易に行うことが可能となり、かつ常時カメラに装着したまま携行できる。【選択図】      図１
2005338738.tif 000002
【特許請求の範囲】
【請求項１】
ビーズ形状の粒が多数封入されたクッションを用いたスタンド部と、カメラに装着できる台座部を備え、外力を加えることにより前記スタンド部が自在に変形することを特徴とするカメラスタンド。
【発明の詳細な説明】
【技術分野】
【０００１】  本発明は、カメラ用の三脚に代表される画角を固定するカメラスタンドに関し、主に写真機による記念撮影の用具に関するものである。
【背景技術】
【０００２】  旅行道中、撮影者を含む同行旅行者全員を被写体とし、記念写真を撮影する場合において、カメラと撮影画角を固定する装置として、カメラ用三脚が広く実用に供されている。【０００３】  従来技術のカメラ用三脚には、携行性を重視し、軽量化と小型化を実現し旅行における記念撮影に適した、小型三脚が知られ、広く普及している。【０００４】  旅行などで記念写真を目的とし、前記三脚とセルフタイマを用いて撮影する場合、一般的にカメラ用三脚が用いられている。しかしながら前記三脚のカメラへの装着及び設置は容易ではなく、画角の調整を行う際にはネジを締めたり緩めたりと手間がかかっている。上記のように小型三脚を用いても設置に時間がかかるという問題がある。【０００５】  カメラを安定して設置するためには、三脚を設置する場所にある程度の面積が必要となり、杭の上など面積の小さな場所には設置できないという課題がある。【０００６】  上記三脚では、カメラを安定させるため脚を３本有し、撮影画角を調整するために脚の長さ及び設置角度を調整できるように構成し、また三脚頂部に雲台を備え画角の調整を行いやすくする機能を備えていることは広く知られている。しかし最小限の構成要素として上記脚および雲台を備えるため小型化、軽量化には限界があり。携行性に十分に優れているとは言い難く、装着したままカメラを運搬するには、かさばり不便であるという課題かある。【０００７】  そこで、従来技術としてスタンドを備えたカメラ（特許文献１）が開示されている。
この特許文献１では、カメラのアングルを固定する装置として立てかけ用のスタンドを備えているが、小型ではあるものの画角を水平に保つ為にはカメラの設置場所は平面状である必要性がある、このため屋外では設置場所が限定されてしまうという問題がある。またもう一つの従来技術として固定用ベルトを備えたビデオカメラ及びカメラのスタンド（特許文献２）が開示されている。この特許文献２は小型軽量であり、携行性に優れるが、設置場所が棒形状である必要性があり、設置場所が顕著に限定されるという問題がある。また設置に時間を要するという問題もある。【０００８】  前述した各特許文献に記載された従来技術によれば、いずれも、設置の容易さと、利便性を十分に両立していない。【０００９】  屋外にて記念撮影を行うには岩、杭、柵といった平面でない場所にカメラを設置し撮影アングルを調整できれば、撮影者を被写体とした記念撮影の機会を広げることができ、便利である。
【特許文献１】    特開２００３−００５２６６号公報
【特許文献２】    特開２０００−０９８４８５号公報
【発明の開示】
【発明が解決しようとする課題】
【００１０】  本発明が解決しようとする課題は、上記の問題と課題に鑑み、小型軽量でカメラに常時装着して携行可能であり、かつ狭く平坦ではない場所にも設置可能であるとともに小型三脚と同等の機能を備え、記念撮影を容易に行えるカメラスタンドを供給することにある。
【課題を解決するための手段】
【００１１】  前記課題を解決するため本発明は、カメラスタンドにおいて、外力を加えることにより自在に変形するスタンド部と、カメラに固定するための台座と、を備える。
スタンド部は布製で柔軟な手のひら程の大きさを持つ袋に対し、幅数ミリのビーズ形状の粒を多数封入し構成する。一般に前記のように構成された物はビーズクッションと称される。【００１２】  スタンド部が撮影者の手の力により簡単に変形させられるので、画角の設定を短時間で容易に行える。また画角調整用の固定ネジや固定装置を持たないため画角の設定を容易に行える。【００１３】  更に本発明は、カメラスタンドにおいて、カメラを固定するネジを有する台座を備え、カメラ本体の三脚固定用のネジ穴に容易に固定できる。
【発明の効果】
【００１４】  本発明によるカメラスタンドは、セルフタイマを用い写真撮影する場合において、岩の上、杭の上など平坦でない場所に安定してカメラを設置でき、かつ撮影画角を容易に調整できる。【００１５】  また本発明のカメラスタンドは、旅行等を目的としカメラを携行する場合において、カメラに常時装着したまま手持ち撮影及び携行ができる。
【発明を実施するための最良の形態】
【００１６】  本発明を実施するための好適な形態を添付図に基づいて説明する。【００１７】  図１，２は、カメラ用可変形状スタンド１０の全体を示す図である。図１は正面図、図２は斜視図である。カメラ用可変形状スタンド１０は、ネジ式台座１１と、回転台座１４と、スタンド部１３と、ネジ１２により構成されている。
スタンド部１３は布製の袋に幅数ミリのビーズ形状の粒を多数封入して構成されている。実施例では長手方向の幅４ミリの粒を用いた。スタンド部１３は上面を回転台座１４に糸１４ａにより固定する。
ネジ１２は回転台座１４を貫通しカメラへの固定を担う半ネジである。ネジ１２は回転台座１４を貫通しネジ式台座１１に固定する。
このように回転台座１４はネジ１２を軸とし回転自在にネジ式台座１１に固定される。【００１８】  以下の記載は、旅行中における、撮影者を含む同行者全員を被写体とした、記念撮影を実施形態として説明する。【００１９】  使用者である撮影者は、ネジ式台座１１のネジ１２をカメラ２１の底面に装備されている、三脚固定用のネジ穴２２にネジ込み、前記カメラ用可変形状スタンド１０をカメラ２１に固定する。【００２０】  小型カメラでは、三脚固定用のネジ穴２２はカメラの重心よりずれて設けられている場合が多い。カメラのネジ穴２２にそのままカメラ用可変形状スタンド１０を固定して、カメラの重心がスタンドの重心より無視できない程度に外れ、安定が損なわれている場合は、回転台座１４を、ネジ１２を軸として回転させ、スタンド部１３がカメラの重心もしくは重心近傍に位置できるように調整する。【００２１】  図３は、カメラに装着されたカメラ用可変形状スタンドの一実施例を示す図である。撮影者は岩、杭、机等撮影に適した高さを備えたカメラを設置できる場所に、図３に示すようにカメラ用可変形状スタンド１０を装着したカメラ２１を、スタンド部１３を下方にして置く。実施例では杭３１の上に設置した。前記設置できる場所は平坦である必要はなく、鋭利でない突起部及び緩やかな傾斜を有していても問題がない。この時、スタンド部１３に封入した多数の粒がカメラの重量により杭の上面形状に合わせて移動し、移動が終了するとそれぞれが安定してカメラの姿勢、重量を支える。【００２２】  撮影者はカメラ２１に内蔵されているセルフタイマをセットする。【００２３】  撮影者は画角の調整を目的とし前記カメラ２１の液晶ファインダ２３を覗き、その状態にて好ましくは両手にてカメラを保持し、カメラ本体の傾斜を上下左右に動かす操作により、カメラの光軸（画角）を上下及び左右に調整する。撮影者の操作により、手の力が外力としてネジ式台座１１と回転台座１４を介してクッション部に伝わり、内蔵されている多数の粒が適宜移動し撮影者の意図する状態に、クッション部は変形する。カメラに撮影者の力が加わらなくなると前記粒はそれぞれ安定しカメラを安定させ保持する。【００２４】  撮影者は、スタンド部１３に無用な力が加わらないよう、カメラを両手にて保持しカメラ２１のシャッターボタン２４を押し、静かにかつ迅速にカメラから両手を離す、撮影者自身が被写体となるように、撮影者は迅速に移動する。【００２５】  カメラ２１の前記セルフタイマが時間差を持って作動し、撮影を実行する。撮影者を被写体とした記念撮影が終了する。【００２６】  撮影者は、カメラ用可変形状スタンド１０を装着したまま、カメラ２１の移動（携行）を行うことができ、また上着のポケットや小型の鞄に収納できる。【００２７】  本発明の可変形状スタンドは、撮影者がカメラを手で構えて撮影する、通常の撮影においても、その妨げとならないよう十分に小型かつ軽量に構成されているので、カメラに装着したままでも支障はない。【００２８】  上記カメラ用可変形状スタンドは、十分に小型であるので、カメラと一体に装着された状態にて、手提げ鞄、上着のポケット等に入れることを可能にしている。【００２９】  尚、本発明のカメラ用可変形状スタンドは、実施の形態では小型静止画カメラに適用したが、一眼レフカメラ、ビデオカメラにも適用可能であり、カメラ用三脚の用途に適用することは差し支えない。またカメラへの固定手段としてネジを用いたが、この固定手段は上記説明に限定されるものではなく、本発明の主旨に反しない限りどのような手段を用いても良い。
【産業上の利用可能性】
【００３０】  本発明のスタンドは、静止画撮影用小型デジタルカメラおよび小型フィルムカメラに好適である。
【図面の簡単な説明】
【００３１】
【図１】  カメラ用可変形状スタンドの斜視図である。
【図２】  カメラ用可変形状スタンドの正面図である。
【図３】  カメラに装着されたカメラ用可変形状スタンドの実施例である。
【符号の説明】
【００３２】  １０…カメラ用可変形状スタンド
１１…ネジ式台座
１２…ネジ
１３…スタンド部
１４…回転台座
２１…カメラ
【図１】
2005338738.tif 000003
【図２】
2005338738.tif 000004
【図３】
2005338738.tif 000005